(57)【要約】【課題】複数の録画装置毎の映像、音声解析機能の差異に基づく優先順位を用いてコンテンツを録画することができる放送録画装置及び放送録画方法を提供する。【解決手段】複数の内１つ以上は他と解析処理性能が異なる映像受信解析部を持つ放送録画装置において、複数コンテンツを録画する際に録画するこれらコンテンツ同士の優先順位を決定する制御部と、前記複数コンテンツを録画する映像蓄積部とを備え、前記制御部は、利用者好みの解析処理を実行できる前記映像受信解析部の優先順位を決定し、前記コンテンツ同士の優先順位の高いコンテンツの録画には、前記映像受信解析部の優先順位の高い映像受信解析部を割り当てて前記映像蓄積部へ録画させる放送録画装置。【選択図】  図３
2012034040.tif 000002
【特許請求の範囲】
【請求項１】
複数の内１つ以上は他と解析処理性能が異なる映像受信解析部を持つ放送録画装置において、
複数コンテンツを録画する際に録画するこれらコンテンツ同士の優先順位を決定する制御部と、
前記複数コンテンツを録画する映像蓄積部とを備え、
前記制御部は、前記映像受信解析部の優先順位を決定し、前記コンテンツ同士の優先順位の高いコンテンツの録画には、前記映像受信解析部の優先順位の高い映像受信解析部を割り当てて前記映像蓄積部へ録画させる放送録画装置。
【請求項２】
前記制御部は、録画する前記コンテンツに対する利用者の好みを計算し前記コンテンツ同士の優先順位を決定する請求項１に記載の放送録画装置。
【請求項３】
前記制御部は、利用者好みの解析処理を実行できる映像受信解析部ほど高い優先順位を与える請求項２に記載の放送録画装置。
【請求項４】
複数の内１つ以上は他と解析処理性能が異なる映像受信解析部を持つ放送録画装置において、
複数コンテンツを録画する際に録画するこれらコンテンツ同士の優先順位を利用者の好みを計算して決定する制御部と、
前記複数コンテンツを録画する映像蓄積部とを備え、
前記制御部は、前記コンテンツ同士の優先順位の高いコンテンツの録画には、前記解析処理性能の高い映像受信解析部を割り当てて前記映像蓄積部へ録画させる放送録画装置。
【請求項５】
複数の内１つ以上は他と解析処理性能が異なる映像受信解析部を持つ放送録画装置において、
前記映像受信解析部で実行する解析処理に対する利用者の好みを計算してこの好みの解析処理を実行できる前記映像受信解析部の優先順位を決定する制御部と、
前記複数コンテンツを録画する映像蓄積部とを備え、
前記制御部は、前記コンテンツ同士の優先順位の高いコンテンツの録画には、前記映像受信解析部の優先順位の高い映像受信解析部から前記映像蓄積部へ録画させる放送録画装置。
【請求項６】
複数の内１つ以上は他と解析処理性能が異なる映像受信解析部と複数コンテンツを録画する映像蓄積部とを持つ放送録画装置における放送録画方法であって、
前記複数コンテンツを録画する際に録画するこれらコンテンツ同士の優先順位を決定し、
利用者好みの解析処理を実行できる前記映像受信解析部の優先順位を決定し、前記コンテンツ同士の優先順位の高いコンテンツの録画には、前記映像受信解析部の優先順位の高い映像受信解析部を割り当てて前記映像蓄積部へ録画させる放送録画方法。
【発明の詳細な説明】
【技術分野】
【０００１】
本発明の実施形態は、放送されるコンテンツを録画する放送録画装置及び放送録画方法に関する。
【背景技術】
【０００２】
複数のコンテンツを同時に録画できる装置が以前から実用化され、コンテンツをどの録画手段に割り当てるかの工夫がされてきている。例えば特許文献１に記載のものは、複数の録画装置を持つ放送受信装置において、録画装置の応答時間（録画開始を指示してから実際に録画開始されるまでの時間）により、録画装置同士の優先順位を設定し、録画を開始する際に、録画装置を決める手段として上記の優先順位を使うというものである。
【０００３】
しかしながら複数の録画装置毎の映像、音声解析機能の差異に基づく優先順位を使うことの要望もあるが、かかる要望を実現するための手段は知られていない。
【先行技術文献】
【特許文献】
【０００４】
【特許文献１】特開２００９−３３４４０号公報
【発明の概要】
【発明が解決しようとする課題】
【０００５】
本発明は、複数の録画装置毎の映像、音声解析機能の差異に基づく優先順位を用いてコンテンツを録画することができる放送録画装置及び放送録画方法を提供することを目的とする。
【課題を解決するための手段】
【０００６】
上記課題を解決するために、実施形態によれば放送録画装置は、複数の内１つ以上は他と解析処理性能が異なる映像受信解析部を持つ放送録画装置において、複数コンテンツを録画する際に録画するこれらコンテンツ同士の優先順位を決定する制御部と、前記複数コンテンツを録画する映像蓄積部とを備え、前記制御部は、利用者好みの解析処理を実行できる前記映像受信解析部の優先順位を決定し、前記コンテンツ同士の優先順位の高いコンテンツの録画には、前記映像受信解析部の優先順位の高い映像受信解析部を割り当てて前記映像蓄積部へ録画させる。
【図面の簡単な説明】
【０００７】
【図１】本発明の放送録画装置の一実施形態である放送記録装置の構成の一例を示すブロック図。
【図２】同じく放送記録装置を操作するためのリモコン装置の一例を示す外観図。
【図３】同実施形態を説明するために示す機能構成図。
【図４】同実施形態の制御部を主体とする動作を示すフローチャート。
【図５】他の実施形態の制御部を主体とする動作を示すフローチャート。
【発明を実施するための形態】
【０００８】
以下、本発明の実施形態を説明する。
（第１の実施形態）
本発明による第１の実施形態を図１乃至図４を参照して説明する。
図１は、本発明の放送録画装置の一実施形態である放送記録装置の構成の一例を示すブロック図である。図１の放送記録装置１０は構成の一例として、チューナ等をソースとして記録機能を有するハードディスクレコーダである。しかしながら、チューナ等と記録機能とをもったデジタルテレビジョンも同様に好適である。
【０００９】
従って、以下の図１を用いた実施形態の説明においては、記録機能をもったハードディスクレコーダとして説明を行なうが、図１のディスプレイ２６を含めることで、同様の機能を持つデジタルテレビジョンとしての説明と解釈することが可能である。
【００１０】
図１において、ハードディスクレコーダである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、ハードディスクドライブ部１８、もしくは、光ディスクドライブ部１９は必ずしも必要な構成ではない。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３のバッファ部２２、多重化部２８、分離部２９、関連コンテンツ制御部４２、予約録画部・番組表生成部５６を有している。これらの各部は、データバスＢを介して制御部３０に接続されている。更に、セレクタ１７の出力は、ディスプレイ２６に供給されるか、外部装置との通信を行うインタフェース部２７を介して、外部装置に供給される。
【００１２】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。図２は、放送記録装置を操作するための図１リモコンＲの一例を示す外観図である。
【００１３】
図３が本実施形態の中心となる機能構成図である。チューナ部３、映像デコーダ部４、音声デコーダ部５、映像音声解析部６からなる、映像受信解析部が２個実装されている。図３は例であり、映像受信解析部は３個以上あっても良い。
【００１４】
チューナ部３は、ＢＳ／ＣＳデジタル／アナログチューナ部１２または地上波デジタル／アナログチューナ部１３に対応する。映像デコーダ部４と音声デコーダ部５は分離部２９やＭＰＥＧデコーダ部２３を中心とする。映像音声解析部６は、音声映像処理部２４の機能の一部として成る。装置各部の制御などのためのプログラム処理を行うＣＰＵ３０ａ、このプログラムが記述されているＦｌａｓｈメモリ３０ｂおよびこのプログラムのワーク用メモリであるＲＡＭ３０ｃは、制御部３０に含まれる。リモコン受光部３２ａは、操作部３２の機能の一部としてある。映像蓄積部２０ａは、図１で信号編集部２０より情報に描かれた部分の機能としてある。映像、音声出力部２４ａは、音声映像処理部２４等の機能の一部としてある。
【００１５】
本実施形態はＨＤＤレコーダ、録画機能付きテレビなど、映像、音声がアンテナから放送波で入力される機器を想定しているが、ＩＰネットワークで映像、音声を伝送する録画機能付きＩＰＴＶシステムにも適用可能である。
【００１６】
複数の映像受信解析部を持つ機器においては、全ての解析部が同じ性能ではなく、バス幅などの技術的な要因や、ラインナップなどの製品展開上の要因で、解析部の性能が異なることがある。
【００１７】
例えば、映像デコーダ部で次のように仕様が異なる場合がある。
1)映像を完全にデコードできる
2)映像のIピクチャだけデコードできる
3)映像をデコードできない
また音声デコーダ部で次のように仕様が異なる場合がある。
A)音声を完全にデコードできる
B)音声のフロント2chのみデコードできる
C)音声の音量情報のみ取得できる
D)音声をデコードできない
これらの組み合わせで映像受信解析部の性能が決まる。
例えば、２個の映像受信解析部で次のような性能になる場合が想定される。
＜映像受信解析部１＞
1)映像を完全にデコードできる
A)音声を完全にデコードできる
＜映像受信解析部２＞
3)映像をデコードできない
B)音声のフロント2chのみデコードできる
この2個の解析部で画面表示や画像、音声解析が行われる。
一方、解析機能として広く知られているものに次のものがある。即ち、CM検出（特開2006-324743参照）、シーン検出（特開2005-130416参照）、音楽検出（特開2008-298976参照）である。
【００１８】
それぞれの解析機能について次の情報が必要であると仮定する。
【００１９】
【表１】
2012034040.tif 000003
【００２０】
この場合、映像受信解析部１では「CM検出」「シーン検出」「音楽検出」が実行可能であり、映像受信解析部２では「CM検出」「音楽検出」が実行可能である。
同一時間帯に放送される2個の番組（番組Ｘ、番組Ｙ）をユーザが録画する場合、2個の番組をどちらの映像受信解析部に割り当てるかを決める必要がある（図４のステップＳ４１）。
【００２１】
上記の例では映像受信解析部ごとに実行できる解析処理が異なるが、ユーザが全ての解析処理を実行したいと考えている場合は、次のようにして映像受信解析部の割り当てを決定できる。
【００２２】
まず、録画する番組Ｘ、Ｙをユーザの好みで順位付けする（ステップＳ４２）。ユーザの好みを計算する方法は広く知られているが（特開2007-272451参照）、次のα〜γの方法のいずれかを使っても良い。適宜リモコンＲの各種ボタンを用いメニュー画面と対話的に設定するなどの方法を援用してもよい。
【００２３】
α：ユーザが入力したキーワードと番組のメタデータに含まれるキーワードが一致した個数
β：ユーザが同一番組を録画した回数
γ：ユーザが同一番組を視聴した回数
次に、映像音声解析処理を順位付けする（ステップＳ４３）。順位付けする方法は、明示的にユーザに選択させる方法でも良いし（ステップＳ４４）、ユーザがこれまでに解析を実施した回数で決めても良い。この順位によって、処理を実行できる性能を持つ映像受信解析部ほど順位が高いとして、映像受信解析部１、２を順位付けする（ステップＳ４５）。
【００２４】
ユーザが好む番組にはユーザの好みの映像音声解析処理を行える映像受信解析部を割り当て（ステップＳ４６）、録画、解析を行う（ステップＳ４７）。すなわち、番組の優先順位と映像受信解析部の優先順位に従い、番組に映像受信解析部１、２を割り当てる。ステップＳ４２、Ｓ４３の順位付けができなかった場合は、システム標準の方法で番組に映像受信解析部を割り当て（ステップＳ４８）、録画、解析を行う（ステップＳ４７）。
【００２５】
（第２の実施形態）
本発明による第２の実施形態を図１乃至図３及び図５を参照して説明する。実施形態１と共通する部分は説明を省略する。
図５のステップＳ５１で同一時間帯に録画を２個登録する。前述の方法でユーザの好みで番組を順位付けできる場合（ステップＳ５２のＹ）、ユーザの好む番組ほどより多くの映像音声解析処理を実施する。すなわち、ユーザが好む番組の順に、より高性能な映像受信解析部を割り当て（ステップＳ５３）、受信、解析を行う（ステップＳ５４）。
【００２６】
番組同士を順位付けできない場合は（ステップＳ５２のＮ）、映像音声解析処理を順位付けする（ステップＳ５５）。この順位付けする方法は、明示的にユーザに選択させる方法でも良いし、ユーザがこれまでに解析を実施した回数で決めても良い。この順位によって、処理を実行できる性能を持つ映像受信解析部ほど順位が高いとして、映像受信解析部を順位付けする（ステップＳ５６）。
【００２７】
録画する際に、順位の高い映像受信解析部から使用する。例えば、録画時間が早い番組や録画時間の長い番組を優先順位の高い映像受信解析部で受信し、解析する（ステップＳ５４）。なお、ステップＳ５５の順位付けができなかった場合は、システム標準の方法で番組に映像受信解析部を割り当て（ステップＳ５７）、録画、解析を行う（ステップＳ５４）。
【００２８】
以上の実施形態では、複数の録画装置を持つ放送受信装置において、録画装置の優先順位を決めるために、録画装置毎の映像、音声解析機能の差異を使う事が特徴である。さらに、録画対象映像に対するユーザの好みや、利用者が良く使う映像、音声解析機能を学習し、その結果を優先順位に反映させる。
【００２９】
効果として複数の録画が同時に起こった場合でも、映像、音声解析ユーザの好む番組に対して、より多くの種類の映像、音声解析機能を実施する事ができる。または、ユーザの好みに応じた、映像、音声解析機能を実施する事ができる。
【００３０】
上記のようにユーザが好む番組に対して、ユーザが好む映像音声解析処理を実施する事ができるが、その際にユーザが使用する処理を指定する必要がなく、以下のようなシステムの性能が許す限りユーザの好みに合わせる事ができる、という効果がある。
【００３１】
（１）複数の映像受信解析部を持つ映像受信解析装置において、それぞれの映像受信解析部で性能に違いがあり同じ解析処理を実行できない場合、
利用者が録画するコンテンツに対する利用者の好みを計算し
録画が重なった場合に録画するコンテンツ同士の優先順位を求め、
映像受信解析部で実行する解析処理に対する利用者の好みを計算し
好みの解析処理を実行できる映像受信解析部の優先順位を求め、
優先順位の高いコンテンツの録画には優先順位の高い映像受信解析部を割り当てる事を特徴とする映像受信解析装置
（２）複数の映像受信解析部を持つ映像受信解析装置において、それぞれの映像受信解析部で性能に違いがあり同じ解析処理を実行できない場合、
利用者が録画するコンテンツに対する利用者の好みを計算し
録画が重なった場合に録画するコンテンツ同士の優先順位を求め、
優先順位の高いコンテンツの録画には性能の高い映像受信解析部を割り当てる事を特徴とする映像受信解析装置
（３）複数の映像受信解析部を持つ映像受信解析装置において、それぞれの映像受信解析部で性能に違いがあり同じ解析処理を実行できない場合、
映像受信解析部で実行する解析処理に対する利用者の好みを計算し
好みの解析処理を実行できる映像受信解析部の優先順位を求め、
優先順位の高い映像受信解析部から録画を開始する事を特徴とする映像受信解析装置
なお、この発明は上記実施形態に限定されるものではなく、この外その要旨を逸脱しない範囲で種々変形して実施することができる。例えば以下のような方法によりそれぞれの優先順位を別々に付けることも可能である。
【００３２】
（１）録画する番組に優先順位を付け、優先順位の高い番組から高性能な映像受信解析部を割り当て、付けられない場合はシステム標準の割り当て順位を使う
（２）映像音声解析処理に優先順位を付けて、優先順位の高い映像音声解析処理を行える映像受信解析部から割り当て、付けられない場合はシステム標準の割り当て順位を使う
【００３３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００３４】
１１…通信部、１２…ＢＳ／ＣＳデジタル／アナログチューナ部、１３…地上波デジタル／アナログチューナ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、４２…関連コンテンツ制御部、５６…予約録画部・番組表生成部、５７…ＲＯＭ、５８…ＲＡＭ、５９…不揮発性メモリ、Ｒ…リモコン。
【図１】
2012034040.tif 000004
【図２】
2012034040.tif 000005
【図３】
2012034040.tif 000006
【図４】
2012034040.tif 000007
【図５】
2012034040.tif 000008
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
ＣＭ検出、シーン検出、音楽検出のうちの少なくとも１以上の解析処理機能を有し、内１つ以上は他と解析処理機能が異なる複数の映像受信解析部と、
複数コンテンツを録画する際に録画するこれらコンテンツ同士の優先順位を決定する制御部と、
前記複数コンテンツを録画する映像蓄積部とを備え、
前記制御部は、前記映像受信解析部の優先順位を決定し、前記コンテンツ同士の優先順位の高いコンテンツの録画には、前記映像受信解析部の優先順位の高い映像受信解析部を割り当てて前記映像蓄積部へ録画させる放送録画装置。
【請求項２】
前記制御部は、録画する前記コンテンツに対する利用者の好みを計算し前記コンテンツ同士の優先順位を決定する請求項１に記載の放送録画装置。
【請求項３】
ＣＭ検出、シーン検出、音楽検出のうちの少なくとも１以上の解析処理機能を有し、内１つ以上は他と解析処理機能が異なる複数の映像受信解析部と、
複数コンテンツを録画する際に録画するこれらコンテンツ同士の優先順位を利用者の好みを計算して決定する制御部と、
前記複数コンテンツを録画する映像蓄積部とを備え、
前記制御部は、前記コンテンツ同士の優先順位の高いコンテンツの録画には、前記複数の映像受信解析部のうち前記解析処理機能の数が多い映像受信解析部を割り当てて前記映像蓄積部へ録画させる放送録画装置。
【請求項４】
ＣＭ検出、シーン検出、音楽検出のうちの少なくとも１以上の解析処理機能を有し、内１つ以上は他と解析処理機能が異なる複数の映像受信解析部と、
前記映像受信解析部で実行する解析処理に対する利用者の好みを計算してこの好みの解析処理を実行できる前記映像受信解析部の優先順位を決定する制御部と、
前記複数コンテンツを録画する映像蓄積部とを備え、
前記制御部は、前記コンテンツ同士の優先順位の高いコンテンツの録画には、前記映像受信解析部の優先順位の高い映像受信解析部から前記映像蓄積部へ録画させる放送録画装置。
【請求項５】
ＣＭ検出、シーン検出、音楽検出のうちの少なくとも１以上の解析処理機能を有し、内１つ以上は他と解析処理機能が異なる複数の映像受信解析部と、複数コンテンツを録画する際に録画するこれらコンテンツ同士の優先順位を決定する制御部と、前記複数コンテンツを録画する映像蓄積部とを備えた放送録画装置における放送録画方法であって、
前記制御部が、前記複数コンテンツを録画する際に録画するこれらコンテンツ同士の優先順位を決定する工程と、
前記制御部が、前記映像受信解析部の優先順位を決定する工程と、
前記制御部が、前記コンテンツ同士の優先順位の高いコンテンツの録画には、前記映像受信解析部の優先順位の高い映像受信解析部を割り当てて前記映像蓄積部へ録画させる工程と、
を有する放送録画方法。